(57)【特許請求の範囲】
【請求項１】
ボタン孔かがり縫目を決定する複数項目のデータ入力が可能な操作パネルと、
前記操作パネルから入力された複数項目のデータに基づいて、電気的な制御により、ボタン孔かがり縫目を形成すると共に、布切りナイフによりボタン孔を形成する制御手段を有するボタン孔かがり縫いミシンにおいて、
前記操作パネルには、
データ値を入力するデータ値入力操作部と、
入力されるデータ値が表示されるデータ値表示部と、
前記データ値入力操作部により入力可能となるデータ項目をデータナンバーにより表示するデータ項目表示部と、
このデータ項目表示部に表示されるデータナンバーを１つずつアップ又はダウンさせる操作が可能なデータ項目操作部と、
が設けられ、
さらに、前記操作パネルには、
前記データ値入力操作部により入力可能となるデータ項目を布切り長さの項目に１回の操作で切り換える布切り長さ操作部と、
前記データ値入力操作部により入力可能となるデータ項目をかがり幅の項目に１回の操作で切り換えるかがり幅操作部と、
前記データ値入力操作部により入力可能となるデータ項目をメス溝幅左の項目に１回の操作で切り換えるメス溝幅左操作部と、
前記データ値入力操作部により入力可能となるデータ項目をメス溝幅右の項目に１回の操作で切り換えるメス溝幅右操作部と、
が設けられ、
前記データ項目操作部の操作によって選択されたデータ項目に対するデータ値の表示と、前記布切り長さ操作部、前記かがり幅操作部、前記メス溝幅左操作部、および、前記メス溝幅右操作部の操作によって選択されたデータ項目に対するデータ値の表示とが、前記データ値表示部によって共通に行われることを特徴とするボタン孔かがり縫いミシン。
【請求項２】
前記データ値入力操作部には、データ値を加算又は減算させる操作が可能な操作キーが設けられ、
さらに、
前記データ値を加算させる操作キーの操作入力時に当該データ値が入力中のデータ項目の上限値を超える操作がなされた場合に、前記データ値を当該データ項目で設定可能とされるデータ値範囲の最小値にし、
前記データ値を減算させる操作キーの操作入力時に当該データ値が入力中のデータ項目の下限値より小さくする操作がなされた場合に、前記データ値を当該データ項目で設定可能とされるデータ値範囲の最大値にする入力制御手段を備えたことを特徴とする請求項１記載のボタン孔かがり縫いミシン。
【請求項３】
前記操作パネルには、
ボタン孔かがり縫目全体の図形表示と、
前記布切り長さ操作部、前記かがり幅操作部、前記メス溝幅左操作部、および、前記メス溝幅右操作部と、前記ボタン孔かがり縫目全体の図形表示の該当部分とをそれぞれ対応づける複数の引出線と、
が設けられていることを特徴とする請求項１又は２に記載のボタン孔かがり縫いミシン。
【請求項４】
前記操作パネルには、
前記データ値入力操作部により入力可能となるデータ項目を、閂止め部の右端と右側縫い部の右端とのずれ長さを示す閂止め幅右補正長の項目に１回の操作で切り換える閂止め幅右操作部と、
前記データ値入力操作部により入力可能となるデータ項目を、閂止め部の左端と左側縫い部の左端とのずれ長さを示す閂止め幅左補正長の項目に１回の操作で切り換える閂止め幅左操作部と、
前記データ値入力操作部により入力可能となるデータ項目を、閂止め部とボタン孔の端部との距離を示すすきま長の項目に１回の操作で切り換えるすきま操作部と、
が設けられ、
前記閂止め幅右操作部、前記閂止め幅左操作部、および、前記すきま操作部とが、前記操作パネルの前面に予め設けられていることを特徴とする請求項１〜３の何れか１項に記載のボタン孔かがり縫いミシン。
【請求項５】
前記操作パネルには、
前記布切り長さ操作部、前記かがり幅操作部、前記メス溝幅左操作部、前記メス溝幅右操作部、前記閂止め幅右操作部、前記閂止め幅左操作部、および、前記すきま操作部によりそれぞれ入力可能となる各データ項目が、ボタン孔かがり縫目のどの部位に相当するものかを各操作部と対応づけて表示するボタン孔かがり縫目全体の図形表示が設けられ、
前記布切り長さ操作部、前記かがり幅操作部、前記メス溝幅左操作部、前記メス溝幅右操作部、前記閂止め幅右操作部、前記閂止め幅左操作部、および、前記すきま操作部には、それぞれ入力可能となるデータ項目がボタン孔かがり縫目のどの部位に相当するのかが該当部位の図形により表示されていることを特徴とする請求項４記載のボタン孔かがり縫いミシン。
【発明の詳細な説明】
【０００１】
【発明の属する技術分野】
この発明は、電気的な制御により、左右の側縫い部および上下の止縫い部からなるボタン孔かがり縫目を形成すると共に、両側縫い部および両止縫い部の間に布切りナイフによりボタン孔を形成する制御手段を有するボタン孔かがり縫いミシンに関する。
【０００２】
【従来の技術】
電気的な制御により、ボタン孔かがり縫目を形成すると共にその中央にボタン孔を形成するボタン孔かがり縫いミシンは、従来公知の技術である。
このようなボタン孔かがり縫いミシンは、電気的な制御により布送り量や針落ち位置を変更することで、ボタン孔かがり縫目の形状や大きさが変更できるように構成されている。そして、縫目の変更を行うために、ボタン孔かがり縫目を決定する複数種類のデータが入力可能な操作パネルを備え、この操作パネルを操作して入力された複数種類のデータに基づきボタン孔かがり縫いが行われるようになっている。
【０００３】
従来のボタン孔かがり縫いミシンの操作パネル２００は、図２２に示すように、データ値を入力するデータ値入力操作部（マイナスキー２０３、プラスキー２０４）、データ値を表示する７セグメント表示器などのデータ値表示部２０２、入力するデータ項目を変更するデータ項目選択操作部（ダウンキー２０５、アップキー２０６）、選択されたデータ項目を表示する７セグメント表示器などのデータ項目表示部２０１等を備えている。そして、データ項目選択操作部を操作することで、複数種類のデータ項目のうち１つのデータ項目を選択し、その後、データ値入力操作部を操作してデータ値を入力する。
【０００４】
上記複数のデータ項目には通し番号（データナンバー）が割り当てられており、データ項目表示部はこのデータナンバーを表示することで選択されたデータ項目を示すようになっている。
そして、上記データ項目の選択操作は、アップキー２０６とダウンキー２０５を操作してデータ項目表示部２０１に表示されるデータナンバーを１つずつ変更することで行われる。
【０００５】
【発明が解決しようとする課題】
しかしながら、上記従来のボタン孔かがり縫いミシンの操作パネル２００では、所定のデータ項目にデータ入力を行いたい場合、先ず、アップキー２０６とダウンキー２０５を適宜操作して、所定のデータ項目に対応するデータナンバーをデータ項目表示部２０１に表示させる操作が必要であり、その後、所定のデータ項目にデータ入力が可能となる。一般に、複数種類あるデータ項目の中には変更頻度の高い項目と低い項目とがあり、変更頻度の高いデータ項目の選択に、いちいちアップキー２０６とダウンキー２０５を何度も操作しなければいけないと云う選択方法は、非常に操作性が悪いものであった。
【０００６】
また、上記従来のボタン孔かがり縫いミシンの操作パネル２００では、データ項目がデータナンバーにより表されるので、データ入力時、オペレータはどのデータナンバーがどのデータ項目を表しているのかをマニュアル等を参照して確かめる必要があり、データ入力の作業性が悪かった。
また、データ項目がデータナンバーにより表されるので、所望のデータを間違ったデータ項目に入力してしまうと云う操作ミスが生じ易かった。そのため、データ入力を行った後は、試し縫いを何度も行って、間違ったデータ入力が行われていないか確かめる必要があった。
【０００７】
この発明は、上記実状に鑑みてなされたもので、操作性よくデータ入力が行えると共に、所定のデータ項目の選択を分りやすく間違いなく行うことの出来るボタン孔かがり縫いミシンを提供することを目的としている。
【０００８】
【課題を解決するための手段】
上記課題を解決するため、ボタン孔かがり縫目を決定する複数項目のデータ入力が可能な操作パネルと、前記操作パネルから入力された複数項目のデータに基づいて、電気的な制御により、ボタン孔かがり縫目を形成すると共に、布切りナイフによりボタン孔を形成する制御手段を有するボタン孔かがり縫いミシンにおいて、前記操作パネルには、データ値を入力するデータ値入力操作部と、入力されるデータ値が表示されるデータ値表示部と、前記データ値入力操作部により入力可能となるデータ項目をデータナンバーにより表示するデータ項目表示部と、このデータ項目表示部に表示されるデータナンバーを１つずつアップ又はダウンさせる操作が可能なデータ項目操作部とが設けられ、さらに、前記操作パネルには、前記データ値入力操作部により入力可能となるデータ項目を布切り長さの項目に１回の操作で切り換える布切り長さ操作部と、前記データ値入力操作部により入力可能となるデータ項目をかがり幅の項目に１回の操作で切り換えるかがり幅操作部と、前記データ値入力操作部により入力可能となるデータ項目をメス溝幅左の項目に１回の操作で切り換えるメス溝幅左操作部と、前記データ値入力操作部により入力可能となるデータ項目をメス溝幅右の項目に１回の操作で切り換えるメス溝幅右操作部とが設けられ、前記データ項目操作部の操作によって選択されたデータ項目に対するデータ値の表示と、前記布切り長さ操作部、前記かがり幅操作部、前記メス溝幅左操作部、および、前記メス溝幅右操作部の操作によって選択されたデータ項目に対するデータ値の表示とが、前記データ値表示部によって共通に行われる構成とした。
【０００９】
請求項２記載の発明は、請求項１記載のボタン孔かがり縫いミシンにおいて、前記データ値入力操作部には、データ値を加算又は減算させる操作が可能な操作キーが設けられ、さらに、前記データ値を加算させる操作キーの操作入力時に当該データ値が入力中のデータ項目の上限値を超える操作がなされた場合に、前記データ値を当該データ項目で設定可能とされるデータ値範囲の最小値にし、前記データ値を減算させる操作キーの操作入力時に当該データ値が入力中のデータ項目の下限値より小さくする操作がなされた場合に、前記データ値を当該データ項目で設定可能とされるデータ値範囲の最大値にする入力制御手段を備えている構成とした。
【００１０】
請求項３記載の発明は、請求項１又は２に記載のボタン孔かがり縫いミシンにおいて、 前記操作パネルには、ボタン孔かがり縫目全体の図形表示と、前記布切り長さ操作部、前記かがり幅操作部、前記メス溝幅左操作部、および、前記メス溝幅右操作部と、前記ボタン孔かがり縫目全体の図形表示の該当部分とをそれぞれ対応づける複数の引出線と、が設けられている構成とした。
【００１１】
請求項４記載の発明は、請求項１〜３の何れか１項に記載のボタン孔かがり縫いミシンにおいて、前記操作パネルには、前記データ値入力操作部により入力可能となるデータ項目を、閂止め部の右端と右側縫い部の右端とのずれ長さを示す閂止め幅右補正長の項目に１回の操作で切り換える閂止め幅右操作部と、前記データ値入力操作部により入力可能となるデータ項目を、閂止め部の左端と左側縫い部の左端とのずれ長さを示す閂止め幅左補正長の項目に１回の操作で切り換える閂止め幅左操作部と、前記データ値入力操作部により入力可能となるデータ項目を、閂止め部とボタン孔の端部との距離を示すすきま長の項目に１回の操作で切り換えるすきま操作部とが設けられ、前記閂止め幅右操作部、前記閂止め幅左操作部、および、前記すきま操作部とが、前記操作パネルの前面に予め設けられている構成とした。
【００１２】
請求項５記載の発明は、請求項４記載のボタン孔かがり縫いミシンにおいて、前記操作パネルには、前記布切り長さ操作部、前記かがり幅操作部、前記メス溝幅左操作部、前記メス溝幅右操作部、前記閂止め幅右操作部、前記閂止め幅左操作部、および、前記すきま操作部によりそれぞれ入力可能となる各データ項目が、ボタン孔かがり縫目のどの部位に相当するものかを各操作部と対応づけて表示するボタン孔かがり縫目全体の図形表示が設けられ、前記布切り長さ操作部、前記かがり幅操作部、前記メス溝幅左操作部、前記メス溝幅右操作部、前記閂止め幅右操作部、前記閂止め幅左操作部、および、前記すきま操作部には、それぞれ入力可能となるデータ項目がボタン孔かがり縫目のどの部位に相当するのかが該当部位の図形により表示されている構成とした。
【００１３】
【発明の実施の形態】
以下、この発明の実施の形態について、図１〜図２１の図面を参照しながら説明する。
図１は、この発明の実施の形態のボタン孔かがり縫いミシン１の概観を示す斜視図、図２は、ボタン孔かがり縫いミシン１の布送りと針の昇降機構を主に示す透視図、図３は、ボタン孔かがり縫いミシン１の針の昇降機構と針振り機構を主に示す透視図である。
【００１４】
この実施の形態のボタン孔かがり縫いミシン１は、昇降動作と左右への針振り動作を行うミシン針９、布（被縫製物）を押さえる布押さえ１５、下側で布を保持すると共に布送り方向に前後動する布保持板１４、布押さえ１５の上側で上糸を切断する上糸切り鋏み８０、布を切断してボタン孔を形成する布切りメス１６、各設定データ等の入力を行う設定入力手段としての操作パネル１４０（図４）、並びに、該ボタン孔かがり縫いミシン１を制御する制御回路９０（図５）等を備えてなる。
【００１５】
上記布押さえ１５および布保持板１４は、縫製中を通して布を保持すると共に、布送り方向に前後動して布を前後に送るようになっている。図２に示すように、布押さえ１５は連結アーム２４を介して布送り部材２３に連結される一方、布保持板１４は直接に布送り部材２３に連結されている。布送り部材２３は、ラック２２ａを有する送り軸２２に固定されており、パルスモータ等からなる送り駆動手段としてのＹ送りパルスモータ２０の駆動により前後動して、布押さえ１５と布保持板１４とを前後動させる。
【００１６】
ミシン針９を昇降させる昇降機構は、図２と図３に示すように、上軸６、パルスモータ等のミシンモータ５、クランクカム７等から構成され、ミシンモータ５の回転駆動をクランクカム７により昇降運動に変換して針棒８に伝達することで、ミシン針９を昇降運動させる。上軸６は、傘車１０ａ，１０ｂを上下端に配した連結軸１０を介して下軸１１とリンクしており、該下軸１１に連結された釜１２と連動するようになっている。
【００１７】
ミシン針９を左右に振る針振り機構は、ある基線を原点としてミシン針９を振る主針振り機構と、この針振り幅を変更する振り幅変更機構、並びに、上記基線を左右方向に変更する基線変更機構等から構成される。
【００１８】
図３に示すように、主針振り機構は、針棒揺動台１８、針振り腕４９、連結軸４８、連結レバー４７、針振りカムレバー４６、三角カム５４、ギヤ５１，５２等から構成され、ミシンの上軸６の回転運動を三角カム５４に伝達することで、針振りカムレバー４６を所定の振り幅で揺動させ、この揺動を伝達して針棒揺動台１８を支点１８ａを中心に回動させることでミシン針９を左右方向に振るようになっている。主針振り機構の針振り動作は、上軸６を介してミシン針９の昇降運動とリンクしており、ミシン針９が一回目に降りるタイミングで針棒８を基線上にもって行き、２回目に降りるタイミングで針棒８を基線から所定の振り幅量の位置にもって行くようになっている。
【００１９】
振り幅変更機構は、パルスモータ等の針振り送りパルスモータ４１の回転により、リンク５５，５６を介して針振りカムレバー４６の振り幅量を決定している支点位置を変更することでミシン針９の振り幅量を変更する。基線変更機構は、パルスモータ等の基線送りパルスモータ４０の回転により、基線変更用レバー４３を支点４３ａを中心に回動させて、針振りカムレバー４６の揺動運動の原点を決定している支点４４ａを変更することで、ミシン針９の針振りの基線位置を変更する。
【００２０】
図４は、本実施の形態のボタン孔かがり縫いミシンに備わる操作パネル１４０を示す図である。
操作パネル１４０は、各種の縫製パラメーターを設定入力したり、設定値の表示出力や縫製制御上のエラーの表示出力を行ったりするもので、例えば、ボタン孔かがり縫いミシン１が載置されるミシンテーブル上に設けられる。
操作パネル１４０は、大きく分けて上半分の第１操作部（第１操作手段）と、下半分の第２操作部（第２操作手段）１５０とに分けられる。
第１操作部には、スタート操作部１４１、データ項目操作部１４２、データ値入力操作部１４３、モード切替操作部１４４、および、糸調子操作部１４５等が設けられている。
【００２１】
スタート操作部１４１には、縫製準備が整ったとき、又は、準備を解除するときに操作する準備キー１４１Ａと、その状態を表示するＬＥＤ（Light Emitting Diode）などの表示部１４１ａとが設けられている。
データ項目操作部１４２には、データ項目表示部１４２Ａ、ダウンキー１４２Ｂおよびアップキー１４２Ｃが設けられている。データ項目表示部１４２Ａは、例えば２桁の７セグメント表示器からなり、データ入力するデータ項目をデータナンバーや図形表示で表示する。ダウンキー１４２Ｂは、データ入力するデータ項目を１つ繰り下げるキー、アップキー１４２Ｃは１つ繰り上げるキーである。データ項目の種類と内容については後に詳述する。
【００２２】
データ値入力操作部１４３には、データ値表示部１４３Ａ、マイナスキー１４３Ｂ、プラスキー１４３Ｃが設けられている。データ値表示部１４３Ａは、例えば４桁の７セグメント表示器からなり、各データ項目のデータ値を表示する。マイナスキー１４３Ｂとプラスキー１４３Ｃとは、データ値を所定の単位値ずつ加減するキーである。各データ項目には各項目に応じて所定の単位値と設定可能範囲とが決められており、マイナスキー１４３Ｂを押すとデータ値が単位値ずつ小さくなっていき、プラスキー１４３Ｃを押すとデータ値が単位値ずつ大きくなっていく。また、データ値が設定可能範囲を超えないように、マイナスキー１４３Ｂ又はプラスキー１４３Ｃを押しても、設定可能範囲の下限または上限をでないようになっている。
【００２３】
モード切替操作部１４４には、パターンナンバーの設定モードに切り替えるパターンナンバキー１４４Ａと、データ入力モードに切り替えるデータキー１４４Ｂとが設けられている。なお、このボタン孔かがり縫いミシン１では、ボタン孔かがり縫目のパターンが複数設定登録可能になっており、これら複数の設定パターンを上記パターンナンバーにより区別している。パターンナンバキー１４４Ａおよびデータキー１４４Ｂ上には、それぞれＬＥＤなどの表示器１４４ａ，１４４ｂが設けられており、これらの点灯によりパターンナンバー設定モードかデータ入力モードかをオペレータに知らせることが出来るようになっている。
【００２４】
糸調子操作部１４５には、側縫い部糸調子キー１４５Ａと閂止め部糸調子キー１４５Ｂとが設けられると共に、その下側に糸調子の設定に関わることを示す「糸調子」の文字表示がなされている。データ入力モードにおいて、側縫い部糸調子キー１４５Ａを押すとデータ入力可能なデータ項目が「側縫い部糸調子データ項目」に、閂止め部糸調子キー１４５Ｂを押すとデータ入力可能なデータ項目が「閂止め部糸調子データ項目」に１回の操作で切り替えられる。側縫い部糸調子キー１４５Ａ上には、側縫い部を強調表示したボタン孔かがり縫目の模式図が、閂止め糸調子キー１４５Ｂ上には、閂止め部を強調表示したボタン孔かがり縫目の模式図が、それぞれ描画されている。
【００２５】
また、これら側縫い部糸調子キー１４５Ａおよび閂止め部糸調子キー１４５Ｂには、それぞれＬＥＤ等の表示器１４５ａ，１４５ｂが設けられており、側縫い部糸調子キー１４５Ａや閂止め部糸調子キー１４５Ｂが押されたとき、又は、データ入力モードで選択されたデータ項目がそれぞれ「側縫い部糸調子データ項目」「閂止め部糸調子データ項目」になった場合に、該当する側縫い部糸調子キー１４５Ａおよび閂止め部糸調子キー１４５Ｂの表示器１４５ａ，１４５ｂが点灯し、どのデータ項目が選択されているか分るようになっている。
【００２６】
第２操作部１５０は、データ入力モードの時に、データ入力可能なデータ項目を１回の操作で切り替えるキーを複数種類備えた操作部である。第２操作部１５０には、中央に第１表示部１５１が設けられており、この第１表示部１５１にボタン孔かがり縫目の全体模式図が表示（描画）されている。また、第１表示部１５１の周りには、閂止め幅左キー１５２、閂止め幅右キー１５３、かがり幅キー１５４、平行部ピッチキー１５５、隙間長さ指定操作部としてのすきまキー１５６、ボタン孔長さ指定操作部としての布切り長さキー１５７、メス溝幅左キー１５８、および、メス溝幅右キー１５９等が設けられている。
【００２７】
これら閂止め幅左キー１５２、閂止め幅右キー１５３、かがり幅キー１５４、平行部ピッチキー１５５、すきまキー１５６、布切り長さキー１５７、メス溝幅左キー１５８、および、メス溝幅右キー１５９は、それぞれデータ入力可能なデータ項目を、「閂止め幅左データ項目」「閂止め幅右データ項目」「かがり幅データ項目」「平行部ピッチデータ項目」「すきまデータ項目」「布切り長さデータ項目」「メス溝幅左データ項目」「メス溝幅右データ項目」に１回の操作で切り替えるキーである。
【００２８】
これら閂止め幅左キー１５２、閂止め幅右キー１５３、かがり幅キー１５４、平行部ピッチキー１５５、すきまキー１５６、布切り長さキー１５７、メス溝幅左キー１５８、および、メス溝幅右キー１５９には、それぞれどこの部分の長さかを示すボタン孔かがり縫目の該当箇所の部分図と、該当する箇所を示す矢印の図とが描画されている。つまり、布切り長さキー１５７上の部分図がボタン孔長さ表示部に、すきまキー１５６上の部分図が隙間長さ表示部になっている。
また、これら各キーの下側には、どの部分かを示す「閂止め幅左」「閂止め幅右」「かがり幅」「ピッチ」「すきま」「布切り長さ」「メス幅左」「メス幅右」の文字表示がなされている。また、これら各キーがボタン孔かがり縫目のどの部分なのかを示すべく、第１表示部１５１の全体模式図の該当部分と各キーとを結ぶ対応線Ｌ…が描かれている。
【００２９】
また、これら閂止め幅左キー１５２、閂止め幅右キー１５３、かがり幅キー１５４、平行部ピッチキー１５５、すきまキー１５６、布切り長さキー１５７、メス溝幅左キー１５８、および、メス溝幅右キー１５９には、それぞれＬＥＤ等の表示器１５２ａ〜１５９ａが設けられており、データ入力モードで選択されたデータ項目がそれぞれ「閂止め幅左データ項目」「閂止め幅右データ項目」「かがり幅データ項目」「平行部ピッチデータ項目」「平行部すきまデータ項目」「布切り長さデータ項目」「メス溝幅左データ項目」「メス溝幅右データ項目」になった場合に、該当するキーの表示器１５２ａ〜１５９ａが点灯し、どのデータ項目が選択されているのかが分るようになっている。
【００３０】
図５には、ボタン孔かがり縫いミシン１の回路構成のブロック図を示す。
ボタン孔かがり縫いミシン１の制御装置は、図５に示すように、ＣＰＵ（Ｃｅｎｔｒａｌ  Ｐｒｏｃｅｓｓｉｎｇ  Ｕｎｉｔ  ）１００、ＲＯＭ（Ｒｅａｄ  Ｏｎｌｙ  Ｍｅｍｏｒｙ）１０１、ＲＡＭ（Ｒａｎｄｏｍ  Ａｃｃｅｓｓ  Ｍｅｍｏｒｙ）１０２、各パルスモータの回転量をカウントするＹ送りカウンタ１０３、基線送りカウンタ１０４、および針振り送りカウンタ１０５、各パルスモータの駆動を行うＹ送りパルスモータドライバ１１１、基線送りパルスモータドライバ１１２、および針振り送りパルスモータドライバ１１３、各種センサーや各駆動部のドライバおよび操作パネル１４０等とＣＰＵ１００とを接続するＩ／Ｏインターフェース１０９、ミシンモータ５の駆動制御を行うミシンモータドライバ１１５、ミシンモータ５の回転量を上軸６の回転角度としてコード化するミシンモータエンコーダ１１９、布押さえ１５を上昇させる押さえ上昇ソレノイド１２２を駆動する押さえ上昇ソレノイド駆動回路１２１、布切りメス１６を下降させる布切りメス下降シリンダ３０を駆動する布切りメス下降シリンダ駆動回路１２３、並びに、所定の割り込み条件（各パルスモータの回転量を示すカウンタ値、布の送り位置、上軸６の回転角度など）によりＣＰＵ１００に割り込み信号を出力する割り込みコントローラ１０８等から構成される。
【００３１】
上記ミシンモータドライバ１１５には、ミシンモータ５の他、ミシン針９が上方位置にあることを検出する針上位置センサ１１６、布押さえ１５や布保持板１４の基準位置を検出する送り基準位置センサ１１７、上軸６の回転角度を検出するＴＧ（タコジェネレーター）発生器１１８等が接続されている。
Ｉ／Ｏインターフェース１０９には、操作パネル１４０や各駆動部のドライバや駆動回路のほか、布押さえ１５の上昇下降を指示する押えスイッチ１２４、並びに、ミシンモータ５の駆動スタートを指示するスタートスイッチ１２５などが接続されている。
【００３２】
ＣＰＵ１００は、ＲＡＭ１０２の所定領域を作業領域としてＲＯＭ１０１に記憶されている制御プログラムに従い、操作パネル１４０からのデータや、接続された各種センサーから検出信号を入力したり、各ドライバを介して各種駆動部の制御を行ったりする。
ＲＯＭ１０１には、操作パネル１４０からの入力処理や、操作パネル１４０を介して入力された縫製データに基づいてボタン孔かがりの縫製パターン（縫い始めから縫い終わりまでの全ての針落ち位置）を演算するパターン演算処理、演算された縫製パターンに従って縫製動作を行わせる縫製処理等が含まれる制御プログラムが記憶されている。
ＲＡＭ１０２は、ＣＰＵ１００の作業領域のほか、操作パネル１４０か介して入力されたボタン孔かがり縫目の各種縫製データを記憶する記憶手段を構成している。
【００３３】
ここで、操作パネル１４０から入力可能で、ボタン孔かがり縫目の縫製パターンを決定する縫製データの種類と内容について説明する。
図６には、操作パネルから入力可能なパラメータを示すデータテーブルのチャート図を、図７には縫製パターンの各部の長さを表すパラメータを説明する図を示す。なお、図７には、ボタン孔かがり縫目ｕ０の各部に、データ項目名とデータナンバーを記載してある。
【００３４】
操作パネル１４０から入力可能なデータ項目は、図６のデータテーブルに示すとおりである。
即ち、ボタン孔かがり縫目ｕ０（図７）の各部の長さデータである、ボタン孔長さデータである布切り長さデータ（ボタン孔溝ｕ１の長さ）、メス溝右幅データ（ボタン孔溝ｕ１と右側縫い部ｕ２の左端との距離）、メス溝左幅データ（ボタン孔溝ｕ１と左側縫い部ｕ２の右端との距離）、かがり幅データ（側縫い部ｕ２の左右幅長）、閂止め長さデータ（閂止め部ｕ３の縦長さ）、すきま長さデータであるすきまデータ（上閂止め部ｕ３の下端とボタン孔溝ｕ１の上端との距離）および第２すきまデータ（下閂止め部ｕ３の上端とボタン孔溝ｕ１の下端との距離）、平行部ピッチデータ（側縫い部ｕ２の２針間の縦方向の距離）、閂止め部ピッチデータ（閂止め部ｕ３の２針間の縦方向の距離）、閂止め幅右補正データ（閂止め部ｕ３の右端と右側縫い部ｕ２の右端とのずれ長さ）、閂止め幅左補正データ（閂止め部ｕ３の左端と左側縫い部ｕ２の左端とのずれ長さ）、更に、糸張力に関するデータである、左平行部張力データ（左側縫い部ｕ２の縫製時の糸張力）、右平行部張力データ（右側縫い部ｕ２の縫製時の糸張力）、第１閂止め部張力データ（上閂止め部ｕ３の縫製時の糸張力）、第２閂止め部張力データ（下閂止め部ｕ３の縫製時の糸張力）、並びに、１／２重データ（側縫い部ｕ２の重ね縫いの回数）、最高速制限データ（ミシン回転数の最高制限数）等の各項目である。
【００３５】
そして、図６のデータテーブルに示すように、上記データ項目のそれぞれに対応して、データ項目の通しナンバーであるデータナンバー（図６中の「Ｎｏ」の列に示す）、設定可能なデータ値の上限下限を示す設定範囲、マイナスキー１４３Ｂとプラスキー１４３Ｃの１操作で変化するデータの単位値等が、ＲＯＭ１０１中に記憶されている。
また、縫製パターンを示す縫製データのセットは複数登録可能であり、これらはパターンナンバー（図６中の「パターンＮｏ．」の項に示す）により識別される。
【００３６】
次に、上記構成のボタン孔かがり縫いミシン１の操作パネル１４０を用いた縫製データの設定の仕方について説明する。
先ず、縫製データを入力する前に、縫製データを登録するパターンナンバーを選択する。パターンナンバーを選択するには、パターンナンバキー１４４Ａをオン操作して、パターンナンバー設定モードに切り替える。この切り替えによりパターンナンバキー１４４Ａの表示器１４４ａが点灯し、該設定モードになったことが認識できる。次いで、ダウンキー１４２Ｂとアップキー１４２Ｃを操作してデータ項目表示部１４２Ａに表示されるパターンナンバーを所望の値に変更する。
【００３７】
パターンナンバーを設定したら、データキー１４４Ｂをオン操作してデータ入力モードに切り替える。この切り替えにより、パターンナンバキー１４４Ａの表示器１４４ａが消灯すると共にデータキー１４４Ｂの表示器１４４ｂが点灯し、該設定モードになったことが認識できる。
データ入力モードになったら、次にデータ入力するデータ項目の選択を行う。データ項目の選択はデータ項目操作部１４２のみの操作による方法と、本発明の特徴をなす第２操作部１５０や糸調子操作部１４５の操作による方法とがある。
【００３８】
先ず、データ項目操作部１４２の操作による選択方法の説明をする。この方法では、アップキー１４２Ｃとダウンキー１４２Ｂとを操作することで、データ項目表示部１４２Ａに表示されるデータナンバーを「１」ずつ変更していく。そして、データ入力したいデータ項目のデータナンバーが表示されれば選択完了である。このアップキー１４２Ｃとダウンキー１４２Ｂの操作により選択データ項目が変更されていく過程において、選択されたデータ項目が、糸調子操作部１４５の各キーや第２操作部１５０の各キーに対応するデータ項目になると、該当するキー上の表示器１４５ａ，１４５ｂ，１５２ａ〜１５９ａが点灯する一方、該当しない表示器１４５ａ，１４５ｂ，１５２ａ〜１５９ａが消灯する。オペレータは、データ項目表示部１４２Ａに表示されるデータナンバーおよび表示器１４５ａ，１４５ｂ，１５２ａ〜１５９ａの点灯／消灯によっても、何のデータ項目が選択されているか認識できる。
【００３９】
次に、糸調子操作部１４５や第２操作部１５０を用いた選択方法を説明する。この方法では、選択したいデータ項目に対応するキー（閂止め幅左キー１５２、閂止め幅右キー１５３、かがり幅キー１５４、平行部ピッチキー１５５、すきまキー１５６、布切り長さキー１５７、メス溝幅左キー１５８、メス溝幅右キー１５９、側縫い部糸調子キー１４５Ａ、および、閂止め部糸調子キー１４５Ｂ）がある場合に、該当するキーをオン操作するだけで選択が完了する。即ち、選択したいデータ項目に対応する上記キーをオン操作することで、データ項目表示部に表示されるデータナンバーがキー操作に対応するデータ項目のナンバーに変更される。更に、当該キー上に設けられた表示器が点灯し、その他のキー（閂止め幅左キー１５２、閂止め幅右キー１５３、かがり幅キー１５４、平行部ピッチキー１５５、すきまキー１５６、布切り長さキー１５７、メス溝幅左キー１５８、メス溝幅右キー１５９、側縫い部糸調子キー１４５Ａ、および、閂止め部糸調子キー１４５Ｂ）上の表示器が消灯する。
【００４０】
データ入力を行うデータ項目が選択されると、該データ項目に予め入力されていたデータ値がデータ値表示部１４３Ａに表示出力される。この状態で、マイナスキー１４３Ｂとプラスキー１４３Ｃとを操作することで、図６のデータテーブルに示した単位値ずつデータ値が更新されていき所望のデータ値まで変更すればデータ値入力の完了である。この変更はすぐに設定データ値として反映され、ＲＡＭ１０２中の所定の記憶領域に記憶される。
【００４１】
１項目のデータ値入力が済んだら、また、データ項目の選択からデータ値入力までの処理を繰り返す。また、複数パターンのデータ値を入力する場合には、パターンナンバーの選択からデータ項目の選択、データ値の入力を繰り返す。
【００４２】
そして、データ値の入力設定が完了したら、準備キー１４１Ａをオン操作することで、設定された縫製データから針落ち位置が演算され、スタートスイッチ１２５（図５）をオン操作することで、この針落ち位置に針が落ちるように布送り機構と針振り機構が制御されて所望の縫製パターンでボタン孔かがり縫目の縫製が行われていく。また、縫製の途中で布切りメス１６が落とされて設定された布切り長さのボタン孔溝が形成される。
【００４３】
このボタン孔溝の形成は、例えば、所望のメス長を有する布切りメス１６をセットして１回のメス落ちにより形成される。この場合、布切りメス１６のセットに伴い、布切り長さデータをセットした布切りメス１６のメス長に設定しておく。
また、例えば、短いメス長の布切りメス１６を所定のタイミングで複数回落とすことで、設定された布切り長さのボタン孔溝を形成する方法もある。この場合、入力された布切り長さデータに基づいてメス落ちのタイミングと回数を演算し、更に、このタイミングと回数でメス落ちの制御を行うことで、設定データに対応するボタン孔溝を形成することが出来る。
【００４４】
以下に、ボタン孔かがり縫いミシン１の制御回路９０により行われるボタン孔かがり処理（操作パネルを介したデータ入力処理や縫製処理）の処理手順について詳述する。
図８は、ボタン孔かがり縫いミシンの制御部により行われるボタン孔かがり処理のゼネラルフローの処理手順を示すフローチャートである。
このボタン孔かがり処理は、例えば、ボタン孔かがり縫いミシン１の電源の投入とともに開始される。ボタン孔かがり縫いミシン１の電源が投入されると、先ず、ステップＳ１において、操作パネル設定処理のサブルーチン処理を行ってステップＳ２に移行する。
【００４５】
ステップＳ２では、操作パネル１４０の準備キー１４１Ａがオン状態か否かを判定してオン状態であればステップＳ３に移行するが、オフ状態であればステップＳ１に戻って操作パネル設定処理を繰り返す。
準備キー１４１Ａが押されてステップＳ３に移行すると、該ステップＳ３で設定された縫製データに基づき縫製パターンの針落ち位置の演算処理を行って、ステップＳ４に移行する。
ステップＳ４では、準備キー１４１Ａのオン操作が行なわれたか判定して、オン状態であればステップＳ１に戻り、オフ状態であればステップＳ５に移行する。
【００４６】
ステップＳ５において作業者による縫製物のミシンテーブル２上へのセットが行われ、ステップＳ６に移行してスタートスイッチ１２５（図５）がオンされたか否かを判定する。そして、スタートスイッチ１２５がオン状態でなければステップＳ４からの処理を繰り返し、オン状態であればステップＳ７に移行する。
ステップＳ７では，ステップＳ３で作成された縫製データに従い、ミシンモータ５、Ｙ送りパルスモータ２０、基線送りパルスモータ４０および針振り送りパルスモータ４１を駆動して１個のボタン孔かがり縫目の始めから終わりまでの縫製、および、布切りメス１６の駆動を行う縫製処理を行い、縫製処理の終了後、ステップＳ４に戻る。
つまり、一旦、縫製データの設定が済んだら、スタートスイッチ１２５のオン操作を繰り返すことで縫製処理が繰り返される。また、縫製データの設定に戻りたい場合には、再び準備キー１４１Ａをオン操作することで、ステップＳ１の操作パネル設定処理に戻ることが出来る。
【００４７】
図９は、ゼネラルフローのステップＳ１で行われる操作パネル設定処理のサブルーチンの処理手順を示すフローチャートである。
このサブルーチンが呼び出されると、先ず、ステップＳ１０でキー操作が行われたか否かを判定し、キー操作がない場合このサブルーチンを終了して図８のゼネラルフローの次の処理に移行するが、キー操作があればステップＳ１１に移行する。
ステップＳ１１に移行すると、順次、パターンナンバキー１４４Ａの操作に関するパターンキー処理（ステップＳ１１）、データキー処理（ステップＳ１２）、側縫い部糸調子キー処理（ステップＳ１３）、閂止め部糸調子キー処理（ステップＳ１４）、アップキー処理（ステップＳ１５）、ダウンキー処理（ステップＳ１６）、プラスキー処理（ステップＳ１７）、マイナスキー処理（ステップＳ１８）、すきまキー処理（ステップＳ１９）、布切り長さキー処理（ステップＳ２０）、閂止め巾左キー処理（ステップＳ２１）、閂止め巾右キー処理（ステップＳ２２）、その他のキー処理、表示処理（ステップＳ２３）の各サブルーチン処理を行った後、この操作パネル設定処理のサブルーチンを終了して図８のゼネラルフローの次の処理に移行する。
【００４８】
図１０は、図９の操作パネル設定処理のサブルーチン中にあるデータキー処理のサブルーチンの処理手順を示すフローチャートである。
このサブルーチンが呼び出されると、先ず、ステップＳ３０において、押されたキーがデータキー１４４Ｂか否かを判定し、データキー１４４Ｂでなければこのサブルーチンを終了し、データキー１４４ＢであればステップＳ３１に移行して、データ項目表示部１４２Ａの表示内容を決定する２桁表示ＲＡＭにデータナンバーの値を、データ値表示部１４３Ａの表示内容を決定する４桁表示ＲＡＭにデータ値を入力する。
その後、このサブルーチンを終了して、図９の操作パネル設定処理の次の処理に移行する。
【００４９】
図１１は、図９の操作パネル設定処理のサブルーチン中にある側縫い部糸調子キー処理のサブルーチンの処理手順を示すフローチャートである。
このサブルーチンが呼び出されると、先ず、ステップＳ３３において、押されたキーが側縫い部糸調子キー１４５Ａか否かを判定し、側縫い部糸調子キー１４５Ａでなければこのサブルーチンを終了し、当該キー１４５Ａが押されたのであれば、ステップＳ３４に移行する。
ステップＳ３４では、２桁表示ＲＡＭに格納されているデータナンバーをチェックして、この側縫い部糸調子キー処理前に、すでに、この処理に関して、左右の側縫い部が選択されていたか否か判定される。すでに、選択されていれば、ステップＳ３５に移行し、２桁表示ＲＡＭに格納されているデータナンバーが左平行部張力に対応するデータナンバ（「１２」）であるかをチェックして、その選択が左側縫い部であったか否かを判定する。
この処理開始前の選択が左側縫い部であると、ステップＳ３６に進み、ステップＳ３３における側縫い部糸調子キー１４５Ａの操作と合わせて右側縫い部が選択され、前記２桁表示ＲＡＭに右であることを表すデータナンバー「１３」を、前記４桁表示ＲＡＭにデータ値を入力する。
また、ステップＳ３４において選択されていないと判定された場合や、ステップＳ３５において処理開始前の選択が左側縫い部でないと判定されると、ステップＳ３７に進み、ステップＳ３３における側縫い部糸調子キー１４５Ａの操作を受けて左側縫い部が選択され、前記２桁表示ＲＡＭに左であることを表すデータナンバー「１２」を、前記４桁表示ＲＡＭにデータ値を入力する。
ステップＳ３６、あるいはステップＳ３７の後、このサブルーチンを終了して、図９の操作パネル設定処理の次の処理に移行する。
【００５０】
図１２は、図９の操作パネル設定処理のサブルーチン中にある閂止め部糸調子キー処理のサブルーチンの処理手順を示すフローチャートである。
このサブルーチンが呼び出されると、先ず、ステップＳ４０おいて、押されたキーが閂止め部糸調子キー１４５Ｂか否かを判定し、閂止め部糸調子キー１４５Ｂでなければこのサブルーチンを終了し、当該キー１４５Ｂが押されたのであれば、ステップＳ４１に移行する。
ステップＳ４１では、２桁表示ＲＡＭに格納されているデータナンバーをチェックして、この閂止め部糸調子キー処理前に、すでに、この処理に関して、第１あるいは第２閂止め部が選択されていたか否か判定される。すでに、選択されていれば、ステップＳ４２に移行し、２桁表示ＲＡＭに格納されているデータナンバーが第１閂止め部張力に対応するデータナンバ（「１４」）であるかをチェックして、その選択が第１閂止め部であったか否かを判定する。
この処理開始前の選択が第１閂止め部であると、ステップＳ４３に進み、ステップＳ４０における閂止め部糸調子キー１４５Ｂの操作と合わせて第２閂止め部が選択され、前記２桁表示ＲＡＭに第２閂止め部であることを表すデータナンバ「１５」を、前記４桁表示ＲＡＭにデータ値を入力する。
また、ステップＳ４１において選択されていないと判定された場合や、ステップＳ４２において処理開始前の選択が第１閂止め部でないと判定されると、ステップＳ４４に進み、ステップＳ４０における閂止め部糸調子キー１４５Ｂの操作を受けて第１閂止め部が選択され、前記２桁表示ＲＡＭに第１閂止め部であることを表すデータナンバ「１４」を、前記４桁表示ＲＡＭにデータ値を入力する。ステップＳ４３、あるいはステップＳ４４の後、このサブルーチンを終了して、図９の操作パネル設定処理の次の処理に移行する。
【００５１】
図１３は、図９の操作パネル設定処理のサブルーチン中にあるアップキー処理のサブルーチンの処理手順を示すフローチャートである。
このサブルーチンが呼び出されると、先ず、ステップＳ４７おいて、押されたキーがアップキー１４２Ｃか否かを判定し、アップキー１４２Ｃでなければこのサブルーチンを終了し、当該キー１４２Ｃが押されたのであれば、ステップＳ４８に移行する。
ステップＳ４８では、パターン切替操作部１４４のデータキー１４４Ｂによりデータ入力のモードが選択されている状態であれば、現在設定されているデータナンバーに１を加え、新たなデータナンバーとしてセットする処理がなされる。新たに設定されるデータナンバーが設定し得るデータナンバーの数字を超えている場合、データナンバーの最小値、つまり、ここではデータナンバー「１」（布切り長さ）を新たなデータナンバーとする。
また、ステップＳ４８では、パターン切替操作部１４４のパターンナンバーキー１４４Ａによりパターンナンバー設定のモードが選択されていれば、現在のパターンナンバーに１を加え、新たなパターンナンバーとしてセットする処理がなされる。新たに設定されるパターンナンバーが設定し得るパターンナンバーの数字を超えている場合、データナンバー同様、パターンナンバーの最小値、つまり、パターンナンバー１を新たなデータナンバーとする。
その後、このサブルーチンを終了して、図９の操作パネル設定処理の次の処理に移行する。
【００５２】
図１４は、図９の操作パネル設定処理のサブルーチン中にあるダウンキー処理のサブルーチンの処理手順を示すフローチャートである。
このサブルーチンが呼び出されると、先ず、ステップＳ５０おいて、押されたキーがダウンキー１４２Ｂか否かを判定し、ダウンキー１４２Ｂでなければこのサブルーチンを終了し、当該キー１４２Ｂが押されたのであれば、ステップＳ５１に移行する。
ステップＳ５１では、パターン切替操作部１４４のデータキー１４４Ｂによりデータ入力のモードが選択されている状態であれば、現在設定されているデータナンバーに−１を加え、新たなデータナンバーとする処理がなされる。新たに設定されるデータナンバーが設定し得るデータナンバーの数字を超えている場合、データナンバーの最大値を新たなデータナンバーとする。
また、ステップＳ５１で、パターン切替操作部１４４のパターンナンバーキー１４４Ａによりパターンナンバー設定のモードが選択されていれば、現在のパターンナンバーに−１を加え、新たなパターンナンバーとする処理がなされる。新たにセットされるパターンナンバーが設定し得るパターンナンバーの数字を超えている場合、パターンナンバーの最大値を新たなデータナンバーとする。
その後、このサブルーチンを終了して、図９の操作パネル設定処理の次の処理に移行する。
【００５３】
図１５は、図９の操作パネル設定処理のサブルーチン中にあるプラスキー処理のサブルーチンの処理手順を示すフローチャートである。
このサブルーチンが呼び出されると、先ず、ステップＳ５４おいて、押されたキーがプラスキー１４３Ｃか否かを判定し、プラスキー１４３Ｃでなければこのサブルーチンを終了し、当該キー１４３Ｃが押されたのであれば、ステップＳ５５に移行する。
ステップＳ５５では、現在データ項目表示部１４２Ａに表示されているデータ項目について、データ値表示部１４３Ａに表示されているデータ値を、各データ項目ごとに定められている所定の単位値（図６参照）分プラスする処理を行う。また、新たなデータ値が、図６で示す設定範囲を超えてしまう場合には、設定範囲の最小値を新たなデータ値とする。
ステップＳ５５の後、このサブルーチンを終了して、図９の操作パネル設定処理の次の処理に移行する。
【００５４】
図１６は、図９の操作パネル設定処理のサブルーチン中にあるマイナスキー処理のサブルーチンの処理手順を示すフローチャートである。
このサブルーチンが呼び出されると、先ず、ステップＳ５７おいて、押されたキーがマイナスキー１４３Ｂか否かを判定し、マイナスキー１４３Ｂでなければこのサブルーチンを終了し、当該キー１４３Ｂが押されたのであれば、ステップＳ５８に移行する。
ステップＳ５８では、現在データ項目表示部１４２Ａに表示されているデータ項目について、データ値表示部１４３Ａに表示されているデータ値を、各データ項目ごとに定められている（図６）所定の単位値分マイナスする処理を行う。新たなデータ値が、図６の設定範囲を超えてしまう場合には、設定範囲の最大値を新たなデータ値とする。
ステップＳ５８の後、このサブルーチンを終了して、図９の操作パネル設定処理の次の処理に移行する。
【００５５】
図１７は、図９の操作パネル設定処理のサブルーチン中にあるすきまキー処理のサブルーチンの処理手順を示すフローチャートである。
このサブルーチンが呼び出されると、先ず、ステップＳ６０おいて、押されたキーがすきまキー１５６か否かを判定し、すきまキー１５６でなければこのサブルーチンを終了し、すきまキー１５６が押されたのであれば、ステップＳ６１に移行する。
ステップＳ６１では、データ値入力可能なデータ項目としてすきまデータ（データナンバー「６」）を選択し、前記２桁表示ＲＡＭにデータナンバーを、前記４桁表示ＲＡＭに、パターンナンバーごとに定められている標準のデータ値を入力する。
ステップＳ６１の後、このサブルーチンを終了して、図９の操作パネル設定処理の次の処理に移行する。
【００５６】
図１８は、図９の操作パネル設定処理のサブルーチン中にある布切り長さキー処理のサブルーチンの処理手順を示すフローチャートである。
このサブルーチンが呼び出されると、先ず、ステップＳ６３おいて、押されたキーが布切り長さキー１５７か否かを判定し、布切り長さキー１５７でなければこのサブルーチンを終了し、布切り長さキー１５７が押されたのであれば、ステップＳ６４に移行する。
ステップＳ６４では、データ値入力可能なデータ項目として布切り長さデータ（データナンバー「１」）を選択し、前記２桁表示ＲＡＭにデータナンバーを、前記４桁表示ＲＡＭに、パターンナンバーごとに定められている標準のデータ値を入力する。
ステップＳ６４の後、このサブルーチンを終了して、図９の操作パネル設定処理の次の処理に移行する。
【００５７】
図１９は、図９の操作パネル設定処理のサブルーチン中にある閂止め幅左キー処理のサブルーチンの処理手順を示すフローチャートである。
このサブルーチンが呼び出されると、先ず、ステップＳ６８おいて、押されたキーが閂止め幅左キー１５２か否かを判定し、閂止め幅左キー１５２でなければこのサブルーチンを終了し、キー１５２が押されたのであれば、ステップＳ６９に移行する。
ステップＳ６９では、データ値入力可能なデータ項目として閂止め幅左データ（データナンバー「１１」）を選択し、前記２桁表示ＲＡＭにデータナンバーを、前記４桁表示ＲＡＭに、パターンナンバーごとに定められている標準のデータ値を入力する。
ステップＳ６９の後、このサブルーチンを終了して、図９の操作パネル設定処理の次の処理に移行する。
【００５８】
図２０は、図９の操作パネル設定処理のサブルーチン中にある閂止め幅右キー処理のサブルーチンの処理手順を示すフローチャートである。
このサブルーチンが呼び出されると、先ず、ステップＳ７２おいて、押されたキーが閂止め幅右キー１５３か否かを判定し、閂止め幅右キー１５３でなければこのサブルーチンを終了し、キー１５３が押されたのであれば、ステップＳ７３に移行する。
ステップＳ７３では、データ値入力可能なデータ項目として閂止め幅右データ（データナンバー「１０」）を選択し、前記２桁表示ＲＡＭにデータナンバーを、前記４桁表示ＲＡＭに、パターンナンバーごとに定められている標準のデータ値を入力する。
ステップＳ７３の後、このサブルーチンを終了して、図９の操作パネル設定処理の次の処理に移行する。
【００５９】
図２１は、図９の操作パネル設定処理のサブルーチン中にある表示処理のサブルーチンの処理手順を示すフローチャートである。
この処理が呼び出されると、先ず、ステップＳ８０において、２桁表示ＲＡＭおよび４桁表示ＲＡＭに入力されている内容を、それぞれ、データ項目表示部１４２Ａおよびデータ値表示部１４３Ａに表示する処理を行ないステップＳ８１に移行する。
ステップＳ８１では、モード切替操作部１４４のデータキー１４４Ｂのオン操作によりデータ入力モードが選択されているか否かを判定し、選択されていればステップＳ８２に移行するが、選択されていなければステップＳ８４にジャンプする。
ステップＳ８２では、２桁表示ＲＡＭに記憶されているデータをチェックして、選択されているデータ項目が、操作パネル１４０に設けられている側縫い部糸調子キー１４５Ａ、閂止め部糸調子キー１４５Ｂ、閂止め幅左キー１５２、閂止め幅右キー１５３、かがり幅キー１５４、平行部ピッチキー１５５、隙間長さ指定操作部としてのすきまキー１５６、ボタン孔長さ指定操作部としての布切り長さキー１５７、メス溝幅左キー１５８、および、メス溝幅右キー１５９の何れかに対応するものか否かを判別し、対応するものであればステップＳ８３に移行するが、対応しないものであればステップＳ８４にジャンプする。
ステップＳ８３では、対応するキーの表示器１４５ａ，１４５ｂ，１５２ａ〜１５９ａを点灯する処理を行いステップＳ８４に移行する。
ステップＳ８４では、操作パネル１４０上で選択されていないキーの表示器（表示器１４４ａ，１４４ｂ，１４５ａ，１４５ｂ，１５２ａ〜１５９ａ…）が点灯していれば、それを消灯させる処理を行い、このサブルーチンを終了して、図９の操作パネル設定処理の次の処理に移行する。
【００６０】
以上のように、この実施の形態のボタン孔かがり縫いミシン１によれば、変更頻度の高い布切り長さデータとすきまデータのデータ入力を行う場合、布切り長さキー１５７、又は、すきまキー１５６を１回操作することで、布切り長さデータ項目又はすきまデータ項目がすぐに選択されるので、従来のアップキー１４２Ｃとダウンキー１４２Ｂとを何回も操作して選択する処理に較べて、操作性が顕著に向上し、簡単で間違いのないデータ入力を行うことが出来る。したがって、データ入力ミスがないか試し縫いする必要も省かれる。
【００６１】
また、第２操作部１５０の中央（第１表示部１５１）にボタン孔かがり縫目の全体模式図が描かれる一方、布切り長さキー１５７上に布切り長さを示す部分図が、すきまキー１５６上にすきま長さを示す部分図が、それぞれ描かれているので、布切り長さキー１５７により指定されるデータ項目が布切り長さデータ項目であること、並びに、すきまキー１５６により指定されるデータ項目がすきまデータ項目であることを、直感的に分り易く示すことが出来る。それにより、データを間違えたデータ項目に入力してしまうといったミスを未然に防ぐことが出来る。
【００６２】
また、布切り長さキー１５７とすきまキー１５６との図形表示とが、第１表示部１５１に表示されたボタン孔かがり縫目の全体形状に対応線Ｌ…で結ばれて表示されているので、布切り長さとすきま長さとが、ボタン孔かがり縫目の中のどの部分の長さかを間違いなく認識させることが出来る。延いては、データ入力の操作性の向上、データ入力ミスの軽減が図られ、それにより試し縫いの必要を省くことが出来る。
【００６３】
なお、本発明は、この実施の形態のボタン孔かがり縫いミシンに限られず、例えば、データ値を入力するデータ値入力操作部は、プラスキーとマイナスキーによる単位値ごとの変更による入力のほか、テンキーにより直接数値を入力するタイプにしても良いし、その他、データ値が入力できればどのような形態にしても良い。また、ボタン孔長さ表示部や隙間長さ表示部として、この実施の形態では布切り長さキー１５７上の部分図やすきまキー１５６上の部分図を例示したが、キー上に設けるのでなく、キーの近傍に設けても良いし、キーから離れた箇所に表示部（例えば部分図）を設けてキーと対応線で結ぶようにしても良い。また、ボタン孔長さ表示部や隙間長さ表示部として、部分図を例示したが、その他、「布切り長さ」や「すきま」などの文字表示をこれら表示部としても良い。その他、操作パネル１４０のその他のキーや、これらキーの操作方法や処理内容など、この実施の形態に示した具体的な構成および処理方法などは、発明の主旨を逸脱しない範囲で適宜変更可能である。
【００６４】
【発明の効果】
請求項１記載の発明によれば、布切り長さ操作部、かがり幅操作部、メス溝幅左操作部、メス溝幅右操作部をワンタッチで操作することで、データ入力を行うデータ項目がすぐに選択される。
請求項４記載の発明によれば、同様に、閂止め幅右操作部、閂止め幅左操作部、すきま操作部をワンタッチで操作することで、データ入力を行うデータ項目がすぐに選択される。
【００６５】
請求項５記載の発明によれば、上記ボタン孔かがり縫目全体の図形表示と上記各操作部の図形表示とにより、布切り長さ操作部、かがり幅操作部、メス溝幅左操作部、メス溝幅右操作部、閂止め幅右操作部、閂止め幅左操作部、すきま操作部の各操作部が何れのデータ項目を選択する操作部であることを、オペレータに分り易く示すことが出来る。それにより、データを間違えたデータ項目に入力してしまうといったミスを未然に防ぐことが出来る。
【００６６】
また、各操作部により入力可能となるデータ項目が、図形表示により表されているので、従来のデータナンバーのみでデータ項目を表していたのに較べて、入力可能となるデータ項目を直感的に間違いなくオペレータに認識させることができ、さらに、該当のデータ項目が全体のボタン孔かがり縫目の中のどの部分かを間違いなく認識させることが出来る。つまり、データ入力の操作性の向上、データ入力ミスの軽減が図られ、それにより試し縫いの必要を省くことが出来る。
【図面の簡単な説明】
【図１】本発明の実施の形態のボタン孔かがり縫いミシンの概観を示す斜視図である。
【図２】同、ボタン孔かがり縫いミシンの布送りと針の昇降機構を主に示す透視図である。
【図３】同、ボタン孔かがり縫いミシンの針の昇降機構と針振り機構を主に示す透視図である。
【図４】本実施の形態のボタン孔かがり縫いミシンに備わる操作パネルを示す図である。
【図５】同、ボタン孔かがり縫いミシンの回路構成を示すブロック図である。
【図６】操作パネルから入力可能なパラメータを示すデータテーブルのチャート図である。
【図７】縫製パターンの各部の長さを表した変数を説明する図である。
【図８】ボタン孔かがり縫いミシンの制御部により行われるボタン孔かがり処理のゼネラルフローの処理手順を示すフローチャートである。
【図９】図８のゼネラルフロー中にある操作パネル設定処理のサブルーチンの処理手順を示すフローチャートである。
【図１０】図９の操作パネル設定処理のサブルーチン中にあるデータキー処理のサブルーチンの処理手順を示すフローチャートである。
【図１１】図９の操作パネル設定処理のサブルーチン中にある側縫い部糸張力処理のサブルーチンの処理手順を示すフローチャートである。
【図１２】図９の操作パネル設定処理のサブルーチン中にある閂止め部糸張力処理のサブルーチンの処理手順を示すフローチャートである。
【図１３】図９の操作パネル設定処理のサブルーチン中にある「ＵＰ」キー処理のサブルーチンの処理手順を示すフローチャートである。
【図１４】図９の操作パネル設定処理のサブルーチン中にある「ＤＯＷＮ」キー処理のサブルーチンの処理手順を示すフローチャートである。
【図１５】図９の操作パネル設定処理のサブルーチン中にある「＋」キー処理のサブルーチンの処理手順を示すフローチャートである。
【図１６】図９の操作パネル設定処理のサブルーチン中にある「−」キー処理のサブルーチンの処理手順を示すフローチャートである。
【図１７】図９の操作パネル設定処理のサブルーチン中にあるすきまキー処理のサブルーチンの処理手順を示すフローチャートである。
【図１８】図９の操作パネル設定処理のサブルーチン中にある布切り長さキー処理のサブルーチンの処理手順を示すフローチャートである。
【図１９】図９の操作パネル設定処理のサブルーチン中にある閂止め巾左キー処理のサブルーチンの処理手順を示すフローチャートである。
【図２０】図９の操作パネル設定処理のサブルーチン中にある閂止め巾右キー処理のサブルーチンの処理手順を示すフローチャートである。
【図２１】図９の操作パネル設定処理のサブルーチン中にある表示処理のサブルーチンの処理手順を示すフローチャートである。
【図２２】従来のボタン孔かがり縫いミシンに備わる操作パネルを示す図である。
【符号の説明】
１          ボタン孔かがり縫いミシン
５          ミシンモータ
９          針
１５        布押え
１６        布切りメス
２０        Ｙ送りパルスモータ
４０        基線送りパルスモータ
４１        針振送りパルスモータ
８０        糸切り鋏
１４０      操作パネル
１４１      スタート操作部
１４２      データ項目操作部
１４２Ａ    データ項目表示部
１４２Ｂ    ダウンキー
１４２Ｃ    アップキー
１４３      データ値入力操作部
１４３Ａ    データ値表示部
１４３Ｂ    マイナスキー
１４３Ｃ    プラスキー
１４４      モード切替操作部
１４４Ａ    パターンナンバキー
１４４Ｂ    データキー
１４５      糸調子操作部
１４５Ａ    閂止め部糸調子キー
１４５Ｂ    側縫い部糸調子キー
１５０      第２操作部
１５１      第１表示部
１５２      閂止め巾左キー
１５３      閂止め巾右キー
１５４      かがり幅キー
１５５      平行部ピッチキー
１５６      すきまキー（隙間長さ指定操作部）
１５７      布切り長さキー（ボタン孔長さ指定操作部）
１５８      メス溝幅左キー
１５９      メス溝幅右キー
１４４ａ，１４４ｂ，１４５ａ，１４５ｂ，１５２ａ〜１５９ａ  表示器
Ｌ，Ｌ…    対応線
ｕ０        ボタン孔かがり縫目
ｕ１        ボタン孔溝
ｕ２，ｕ２  側縫い部
ｕ３，ｕ３  閂止め部
【図１】
0004397063.tif 000002
【図２】
0004397063.tif 000003
【図３】
0004397063.tif 000004
【図４】
0004397063.tif 000005
【図５】
0004397063.tif 000006
【図６】
0004397063.tif 000007
【図７】
0004397063.tif 000008
【図８】
0004397063.tif 000009
【図９】
0004397063.tif 000010
【図１０】
0004397063.tif 000011
【図１１】
0004397063.tif 000012
【図１２】
0004397063.tif 000013
【図１３】
0004397063.tif 000014
【図１４】
0004397063.tif 000015
【図１５】
0004397063.tif 000016
【図１６】
0004397063.tif 000017
【図１７】
0004397063.tif 000018
【図１８】
0004397063.tif 000019
【図１９】
0004397063.tif 000020
【図２０】
0004397063.tif 000021
【図２１】
0004397063.tif 000022
【図２２】
0004397063.tif 000023